(57)【要約】【課題】  電子カメラから外部機器への転送を高速に行うためには常に通信状態を維持して論理接続状態に入っている方が良いが、電力消費の面では効率が悪い。【解決手段】  撮影データを外部装置に転送可能な電子カメラであって、撮影準備動作または撮影動作を指示する操作手段と、外部装置との論理接続を確立する接続手段と、操作手段によって撮影準備動作又は撮影動作が開始された場合に、接続手段によって外部装置との論理接続を確立するように制御する制御手段とを備えることを特徴とする。【選択図】  図２
2008160792.tif 000002
【特許請求の範囲】
【請求項１】
撮影データを外部装置に転送可能な電子カメラにおいて、
撮影準備動作または撮影動作を指示する操作手段と、
外部装置との論理接続を確立する接続手段と、
前記操作手段への指示によって撮影準備動作又は撮影動作が開始された場合に、前記接続手段によって外部装置との論理接続を確立するように制御する制御手段と、
を備えることを特徴とする電子カメラ。
【請求項２】
さらに、外部装置に対する電力供給の開始を制御する電力制御手段と、
前記接続手段は、前記操作手段によって撮影準備動作又は撮影動作が開始された場合に、前記電力制御手段によって外部装置に対し電力供給の開始が行われた後に外部装置との論理接続を確立することを特徴とする請求項１に記載の電子カメラ。
【請求項３】
さらに、前記外部装置のほかに、撮影データを記録する記録媒体を着脱可能なインターフェースを備え、
前記操作手段によって撮影準備動作又は撮影動作が開始された場合に、撮影データの転送先の外部装置または記録媒体に対して電力供給の再開または省電力モードからの復帰を指示する手段と、
を備えることを特徴とする請求項１から２のいずれか１項に記載の電子カメラ。
【請求項４】
さらに、前記外部装置との論理接続が確立されたあとに、前記操作手段への操作に従った撮影が開始されることを特徴とする請求項１から３のいずれか１項に記載の電子カメラ。
【請求項５】
撮影データを外部装置に転送可能な電子カメラの制御方法であって、
撮影準備動作または撮影動作を指示する操作工程と、
外部装置との論理接続を確立する接続工程と、
前記操作工程での指示によって撮影準備動作又は撮影動作が開始された場合に、前記接続工程によって外部装置との論理接続を確立するように制御する制御工程と、
を備えることを特徴とする電子カメラの制御方法。
【請求項６】
さらに、外部装置に対する電力供給の開始を制御する電力制御工程と、
前記接続工程は、前記操作工程によって撮影準備動作又は撮影動作が開始された場合に、前記電力制御工程によって外部装置に対し電力供給の開始が行われた後に外部装置との論理接続を確立することを特徴とする請求項５に記載の電子カメラの制御方法。
【請求項７】
さらに、前記外部装置のほかに、撮影データを記録する記録媒体を着脱可能なインターフェースを備え、
前記操作工程によって撮影準備動作又は撮影動作が開始された場合に、撮影データの転送先の外部装置または記録媒体に対して電力供給の再開または省電力モードからの復帰を指示する工程と、
を備えることを特徴とする請求項５から６のいずれか１項に記載の電子カメラの制御方法。
【請求項８】
さらに、前記外部装置との論理接続が確立されたあとに、前記操作工程での操作に従った撮影が開始されることを特徴とする請求項５から７のいずれか１項に記載の電子カメラの制御方法。
【発明の詳細な説明】
【技術分野】
【０００１】
本発明は、撮影データを外部装置へ転送可能な電子カメラに関するものであり、撮影データの高速な転送を可能とすることを目的とする。
【背景技術】
【０００２】
近年、被写体の光学像をデジタル化して記憶するデジタルカメラが実用化されている。これらのデジタルカメラでは、撮影データを着脱可能な記憶媒体に記録することができるのは言うまでもない。さらに、ＩＥＥＥ１３９４等の外部との接続インターフェースを持つカメラで、接続された外部装置、例えばパーソナルコンピュータに転送できることが知られている（特許文献１参照）。
【０００３】
また、上記の着脱可能な記録媒体には様々な種類のものが存在し、例えばマイクロドライブやハードディスクといった内部機構として回転動作を伴うような記録媒体もある。そのような記録媒体は、記録を指示してから回転動作を開始し、一定回転速度になってから実際に書き込まれる。
【０００４】
また、外部装置に転送する場合は、予め各々の接続インターフェースに応じて規定された手続きに沿って論理接続を行う必要があり、この論理接続状態に入っていれば常時外部装置へデータを転送することが可能となる。因みに、この論理接続には、長い場合数秒から数十秒単位での処理が必要となる場合がある。
【特許文献１】特登録０３１９０６５１号公報
【発明の開示】
【発明が解決しようとする課題】
【０００５】
上述のように、回転動作を伴うような記録媒体への記録を行うには、他に比べて初期動作に時間が掛かってしまう。また、回転動作には消費電力が大きいという特徴があるため、常時回転動作を行わせると省電力の面で不利になるという問題がある。
【０００６】
また、外部機器への転送を高速に行うためには論理接続状態に入っている必要があるが、常時論理接続を継続することは電力消費の面で効率が悪い。そのため、外部装置の一部の電力供給を停止するいわゆる省電力モードに移行したり、外部装置への電力供給そのものを停止する場合も少なくない。その場合は、次に記録及び転送を開始するためには再度論理接続が必要となり、その時間によって転送効率は低下するため、高速な転送効率を必要とするシステムでは大きなデメリットとなる。
【０００７】
本発明は、上述の問題を解決するためになされたものであり、撮影データの記録・転送先に応じて、無駄に電力を消費することなく、常に撮影データを高速に記録・転送できる電子カメラを提供することを目的とする。
【課題を解決するための手段】
【０００８】
上記の課題を解決する為，本発明の電子カメラは、撮影データを外部装置に転送可能な電子カメラであって、撮影準備動作または撮影動作を指示する操作手段と、外部装置との論理接続を確立する接続手段と、操作手段によって撮影準備動作又は撮影動作が開始された場合に、接続手段によって外部装置との論理接続を確立するように制御する制御手段とを備えることを特徴とする。
【発明の効果】
【０００９】
以上のように、本発明によれば、撮影準備動作又は撮影動作に応じて、予め論理接続や転送準備に相当する制御コマンドの送受信等を行うことによって、ファイル転送に伴う初期動作に時間を削減し、高速に転送することが可能となる。
【発明を実施するための最良の形態】
【００１０】
（第１の実施例）
以下、図面を参照して本発明の実施例を説明する。
【００１１】
図１は、本発明の実施例の構成を示す図である。
【００１２】
図１において、１００は撮影データを外部装置に転送可能な電子カメラである。
【００１３】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１４】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１５】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行う。ここで得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００１６】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０とメモリ制御回路２２を介して、或いはＡ／Ｄ変換器１６のデータが直接、メモリ制御回路２２を介して、像表示メモリ２４又はメモリ３０に書き込まれる。
【００１７】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００１８】
３０は撮影した静止画像や動画像を格納するための着脱可能なメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００１９】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２０】
４０は絞り機能を備えるシャッター１２を制御する露光制御手段であり、フラッシュ４８と連携することによりフラッシュ調光機能も有するものである。
【００２１】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２２】
４８はフラッシュであり、ＡＦ補助光の投光機能、フラッシュ調光機能も有する。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２３】
５０は画像処理装置１００全体を制御するシステム制御回路、５２はシステム制御回路５０の動作用の定数、変数、プログラム等を記憶するメモリである。
【００２４】
５４はシステム制御回路５０でのプログラムの実行に応じて、文字、画像、音声等を用いて動作状態やメッセージ等を表示する表示部としての液晶表示装置である。この表示部では、画像処理装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダー１０４内に設置されている。
【００２５】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示がある。またさらに、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００２６】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００２７】
５６は電気的に消去・記録可能な不揮発性メモリであり、例えばＥＥＰＲＯＭ等が用いられる。
【００２８】
６０、６２、６４及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００２９】
ここで、これらの操作手段の具体的な説明を行う。
【００３０】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００３１】
６２はシャッタースイッチＳＷ１である。これは、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の撮影前の撮影準備動作の開始を指示する。
【００３２】
６４はシャッタースイッチＳＷ２で、不図示のシャッターボタンをＳＷ１（６２）よりもさらに押し込むことでＯＮとなり撮影動作の実行を指示する。
【００３３】
ＯＮになるに応じて、撮像素子１４から読み出した信号をＡ／Ｄ変換器１６、メモリ制御回路２２を介してメモリ３０に画像データを書き込む露光処理画行われる。さらに続いて、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３４】
このように、シャッターボタンへの操作に従ってＳＷ１、ＳＷ２がＯＮとなり、撮影準備動作や撮影動作が開始される。
【００３５】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタンがある。またさらに、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００３６】
８０は電源制御手段で、電池検出回路、ＤＣ−ＤＣコンバータ、通電するブロックを切り替えるスイッチ回路等により構成されている。この手段では、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する電力制御を行う
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００３７】
９０及び９４はメモリカードやハードディスク等の記録媒体とのインタフェースである。９２及び９６はメモリカードやハードディスク等の記録媒体と接続を行うコネクタである。９８はコネクタ９２及び或いは９６に記録媒体２００或いは２１０が装着されているか否かを検知する記録媒体着脱検知手段である。
【００３８】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。
【００３９】
さらに、９０及び９４、そして９２及び９６をＰＣＭＣＩＡカードやＣＦ（コンパクトフラッシュ（登録商標））カード等を用いて構成した場合、各種通信カードを接続して、他の外部機器との間で画像データやその管理情報等を転送することが出来る。
【００４０】
この通信カードとしては、ＬＡＮカードやモデムカード、ＵＳＢカード、ＩＥＥＥ１３９４カード、Ｐ１２８４カード、ＳＣＳＩカード、ＰＨＳ等の通信カード、等が挙げられる。
【００４１】
１０２は、画像処理装置１００のレンズ１０を含む撮像部を覆う事により、撮像部の汚れや破損を防止するバリアである保護手段である。
【００４２】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００４３】
１１０は通信手段であり、ＲＳ２３２ＣやＵＳＢ、ＩＥＥＥ１３９４、Ｐ１２８４、ＳＣＳＩ、モデム、ＬＡＮ、無線通信、等の各種通信手段により、他のコンピュータや外部機器との間で画像データや画像データに付属した管理情報を転送し合うことができる。
【００４４】
１１２は通信手段１１０により画像処理装置１００を他の外部機器と接続するコネクタ或いは無線通信の場合はアンテナである。
【００４５】
なお、本実施例では、この外部機器として、電子カメラと直接通信する外部記録装置を想定しており、撮影により得られた画像データを撮影後スムーズに転送する場合を想定している。
【００４６】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
【００４７】
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００４８】
以下、図面を参照し、本発明に好適な第１の実施の形態を説明する。
【００４９】
図２は、撮影準備から画像データファイル記録及び転送までの一連のシーケンスを説明するフローチャートである。
【００５０】
ステップＳ２０１では、各種ボタンやタッチパネル等からなる操作部７０により、画像データファイルの記録先及び転送先が選択される。このステップでの選択内容として、記録先のメモリ（２００や２１０）及び転送先（コネクタ１１２、通信手段１１０を介した外部機器）はメモリ３０や、不揮発性メモリ５６に保存される。
【００５１】
ステップＳ２０２では、先に図１の説明で述べたように、不図示のレリーズスイッチを構成するＳＷ１（６２）の操作に応答し、ＡＦ処理、ＡＥ処理、ＡＷＢ処理、ＥＦ処理等の動作開始までの一連の撮影準備処理が行われる。
【００５２】
ステップＳ２０３では、記録媒体への記録準備処理が指示される。記録媒体への記録準備処理の詳細については図３を参照して後述する。
【００５３】
ステップＳ２０４では、外部機器への転送準備処理が指示される。外部機器への転送準備処理の詳細については図４を参照して後述する。
【００５４】
なお、ステップＳ２０３か、ステップＳ２０４への分岐は、ステップＳ２０１での指定により切り替えられる。
【００５５】
ステップＳ２０５では、不図示のレリーズスイッチを構成するＳＷ２（６４）の操作に応答し、撮像素子１２から読み出した信号に、露光処理、現像処理、圧縮処理などの一連の処理が行われ、画像データファイルとしてメモリ３０に一時保存される。
【００５６】
ステップＳ２０６では、ステップＳ２０５によりメモリ３０に一時保存された画像データファイルは、ステップＳ２０１において保存された記録先への書き込みが行われる。
【００５７】
ステップＳ２０７では、ステップＳ２０５によりメモリ３０に一時保存された画像データファイルは、ステップＳ２０１において保存された転送先への転送が行われる。
【００５８】
なお、ステップＳ２０６か、ステップＳ２０７への分岐は、ステップＳ２０１での指定により切り替えられる。
【００５９】
本実施例では、簡単のためにステップＳ２０１からステップＳ２０７までを順番に処理される場合を説明した。しかし、例えばステップＳ２０５の撮影処理では、連写撮影のように、複数回撮影を繰り返し行ってから次のステップＳ２０６の記録処理やステップＳ２０７の転送処理を行ってもよい。
【００６０】
図３は、記録媒体への記録準備処理を行う一連のシーケンスを説明するフローチャートである。
【００６１】
この記録準備処理とは、記録媒体がデータを記録可能な状態とする為の処理であり、例えばディス上の記録媒体を停止状態から等速回転状態に移行させる処理を含む。または、記録媒体への記録制御を行う制御部に対する電力供給を開始する処理を言う。つまり、データの記録前に必要な少なくとも一部の処理を行うことで、データの記録処理を即座に行う状態にすることを言う。
【００６２】
ステップＳ３０１では、図２のステップＳ２０１において選択され保存された設定を参照し、電子カメラの記録媒体（２００又は２１０）が撮影データの記録先として選択されているか否かを判定し、含まれていると判定した場合はステップＳ３０２に進む。なお、電子カメラに記録媒体が複数接続されている場合には、まずいずれか１つの記録媒体を選択して、Ｓ３０２に進むものとする。
【００６３】
ステップＳ３０２では、その記録媒体が記録準備状態か否かを判定、記録準備状態ではないと判定した場合はステップＳ３０３に進む。記録準備状態であるか否かの判定の方法としては、前回記録媒体に対してアクセスした時間からの経過時間がある一定時間を超えているか否かによって判断する方法などがある。
【００６４】
ステップＳ３０３では、その記録媒体に対し記録準備の指示を行う。この指示に応じて、電子カメラは、この際、一回の記録準備の指示に対し記録準備状態が一定時間で終了するものも存在するが、その場合は記録するべき画像データファイルが無くなるまで継続的に記録準備の指示を行う。
【００６５】
上記ステップＳ３０１からＳ３０３の処理を全ての記録媒体に対して行う。
【００６６】
図４は、外部機器への転送準備処理を行う一連のシーケンスを説明するフローチャートである。なお、通信対象の外部機器が複数ある場合は、そのうちのいずれかの機器を１つ選択し、以下に記載の処理を繰り返し行うこととする。
【００６７】
ステップＳ４０１では、図２のステップＳ２０１において設定、保存された転送先を参照し、コネクタ１１２、通信手段１１０を介した外部機器が撮影データの転送先として選択されているか否かを判定し、含まれていると判定した場合はステップＳ４０２に進む。
【００６８】
ステップＳ４０２では、その外部機器に電力が供給されているか、又は省電力モードに入っているか否かを判定し、電力供給がＯＦＦ又は省電力モードであると判定した場合はステップＳ４０３に進む。
【００６９】
ステップＳ４０３では、その外部機器に対して電力供給がＯＦＦであれば電力供給を再開し、省電力モードであれば通常モードへの復帰処理を行う。この通常モードへの復帰処理は、電子カメラから外部機器に対するウェイクアップ信号を送信することで実現されるが、この方法以外でも良い。
【００７０】
ステップＳ４０４では、その外部機器と論理接続が確立している状態か否かを判定し、論理接続が確立している状態ではないと判定した場合はステップＳ４０５に進む。
【００７１】
上記のように、転送準備の処理とは、外部機器との論理的な通信接続が確立している状態といい、データを外部機器に転送する為の処理が可能な状態である。つまり、物理的には接続されていても、省電力のために通信のための電力を遮断している場合、距離が遠くて通信できない場合など、実質的に通信不可能な状態は含まない。
【００７２】
ステップＳ４０５では、その外部機器との論理接続の確立を行う。
【００７３】
上記ステップＳ４０１からＳ４０５の処理を接続された全ての外部機器に対して行う。
【００７４】
上記の図３、図４で説明した処理は、レリーズスイッチを構成するＳＷ１（６２）の撮影準備の操作に応答して行われるようにした。
【００７５】
これにより、撮影準備操作と連動して、記録の為の準備の開始または、外部機器との論理接続の開始を行うことが出来、単純な撮影動作待ちのときに電力消費を低減することが出来る。
【００７６】
そして、ＳＷ２を操作して実際の撮影処理が行われるよりも前に、記録の為の準備の開始または、外部機器との論理接続の開始を行うので、撮影処理時にはデータ記録が可能なにすることが出来る。
【００７７】
つまり撮影後に通信を確立する場合に比べて、データの記録処理の遅延が発生しにくい状態とすることが出来る
本実施例では、撮影準備に応じて記録準備及び転送準備を行う場合について説明したが、実際の記録及び転送を行うよりも先立って記録準備及び転送準備を行うことによって同じ効果が得られる。つまり、撮影準備から記録及び転送までの間に他の外部機器に論理接続処理があれば、どのタイミングであっても良い。
【図面の簡単な説明】
【００７８】
【図１】本発明の実施形態における電子カメラの主要な機能構成例
【図２】本発明の実施形態における撮影シーケンスを説明するフローチャート
【図３】本発明の実施形態の撮影シーケンスにおける記録媒体への記録準備処理シーケンスを説明するフローチャート
【図４】本発明の実施形態の撮影シーケンスにおける外部機器への転送準備処理シーケンスを説明するフローチャート
【図１】
2008160792.tif 000003
【図２】
2008160792.tif 000004
【図３】
2008160792.tif 000005
【図４】
2008160792.tif 000006